(57)【要約】【課題】目立たずに、かつ、作業容易に、機器類に対してプラグを固定することができるとともに、いたずらもされにくいプラグ抜け防止具を提供する。【解決手段】Ｕ字形のワイヤ１１の曲折部１１ａを２枚の薄片１２，１３で挟み込んでプラグ保持具１０を構成し、前記薄片１２，１３を機器類３０に固着させるとともに、前記ワイヤ１１の両端をプラグ４０に巻き付けることで、機器類３０に対してプラグ４０を固定可能とした。【選択図】図６
2015106557.tif 000002
【特許請求の範囲】
【請求項１】
Ｕ字形のワイヤの曲折部を２枚の薄片で挟み込んでプラグ保持具を構成し、
前記薄片を機器類に固着させるとともに、前記ワイヤの両端をプラグに巻き付けることで、機器類に対してプラグを固定可能であることを特徴とする、プラグ抜け防止具。
【請求項２】
前記ワイヤの曲折部の位置を外部から視認するための目印を前記薄片の表面に設けたことを特徴とする、請求項１記載のプラグ抜け防止具。
【請求項３】
前記ワイヤ全体を絶縁コーティングしたことを特徴とする、請求項１又は２記載のプラグ抜け防止具。
【請求項４】
前記プラグ保持具と組み合わせて使用する巻付具を備え、
前記巻付具は、プラグに固着可能なベース部と、前記ベース部の表面に形成された複数の突起と、を有し、
前記ワイヤの両端を前記複数の突起に巻き付けることで、機器類に対してプラグを固定することを特徴とする、請求項１〜３のいずれかに記載のプラグ抜け防止具。
【請求項５】
前記突起には、前記ワイヤを貫通させることができる挿通孔が設けられていることを特徴とする、請求項４記載のプラグ抜け防止具。
【発明の詳細な説明】
【技術分野】
【０００１】
この発明は、機器類に対してプラグを固定するためのプラグ抜け防止具に関する。
【背景技術】
【０００２】
接続したプラグが誤って抜けてしまう問題の対策として、本出願人は例えば特許文献１記載のプラグ保持板を提案した。この特許文献１記載のプラグ保持板は、プラグの根元に掛け止めさせるための切欠きを中央に形成し、前記切欠きの両側には帯状の結束具を差し込むための長孔を平行に形成するとともに、前記長孔の両端付近及び前記長孔の中央付近に紐状の結束具を差し込むための挿通孔を形成したことを特徴としている。このプラグ保持板によれば、細長状面ファスナー、帯状面ファスナー、タイベースなどの各種の結束具を状況に応じて使い分けることで、様々な機器の形状や配置に対応してプラグの抜けを防止することができる。
【先行技術文献】
【特許文献】
【０００３】
【特許文献１】特開２０１２−２４８３５５号公報
【発明の概要】
【発明が解決しようとする課題】
【０００４】
しかし、上記した特許文献１記載のプラグ保持板を使用した場合、強固に固定できるものの、プラグ保持板が外観上目立ってしまう。例えば展示用の機器類に差し込んだプラグの抜けを防止したい場合などは、目立たずに簡易的にプラグを固定できる方法が求められていた。
【０００５】
また、上記した特許文献１記載のプラグ保持板をケーブルタイで固定すると、固定したプラグを抜き差ししたい場合にはケーブルタイを切断しなければならないため、ケーブルタイを再利用できず、頻繁に抜き差しするようなプラグの固定には不向きである。なお、プラグ保持板を面ファスナーで固定すれば再利用できない問題は発生しないが、取り外しがあまりにも容易であるため、いたずらをされやすいという問題があった。例えば展示用の機器類に使用する場合には、取り外しがあまりにも容易であると、展示用のパソコンに差し込んだＵＳＢメモリを抜き取られたり、持ち込んだＵＳＢメモリを展示用のパソコンに接続されたり、といったいたずらをされるおそれがあった。
【０００６】
他にも、例えばノートパソコンにモバイルＷｉ‐Ｆｉルーターなどの携帯用通信端末を固定したり、携帯用通信端末側でＵＳＢプラグが抜けないように固定したり、といった用途に使用する場合も、目立たずに簡易的にプラグを固定できる方法が求められていた。
【０００７】
そこで、本発明は、目立たずに、かつ、作業容易に、機器類に対してプラグを固定することができるとともに、いたずらもされにくいプラグ抜け防止具を提供することを課題とする。
【課題を解決するための手段】
【０００８】
本発明は、上記した課題を解決するためになされたものであり、以下を特徴とする。
【０００９】
請求項１記載の発明は、Ｕ字形のワイヤの曲折部を２枚の薄片で挟み込んでプラグ保持具を構成し、前記薄片を機器類に固着させるとともに、前記ワイヤの両端をプラグに巻き付けることで、機器類に対してプラグを固定可能であることを特徴とする。
【００１０】
請求項２記載の発明は、前記ワイヤの曲折部の位置を外部から視認するための目印を前記薄片の表面に設けたことを特徴とする。
【００１１】
請求項３記載の発明は、前記ワイヤ全体を絶縁コーティングしたことを特徴とする。
【００１２】
請求項４記載の発明は、前記プラグ保持具と組み合わせて使用する巻付具を備え、前記巻付具は、プラグに固着可能なベース部と、前記ベース部の表面に形成された複数の突起と、を有し、前記ワイヤの両端を前記複数の突起に巻き付けることで、機器類に対してプラグを固定することを特徴とする。
【００１３】
請求項５記載の発明は、前記突起には、前記ワイヤを貫通させることができる挿通孔が設けられていることを特徴とする。
【発明の効果】
【００１４】
請求項１に記載の発明は上記の通りであり、ワイヤの両端をプラグに巻き付けることで、機器類に対してプラグを固定可能であるため、プラグがどのような形状であってもワイヤを絡ませて固定することができる。このようなプラグ抜け防止具によれば、薄片を機器類の裏側に取り付けた場合には細いワイヤだけが視認可能な状態でプラグを固定できるので、目立たずにプラグを固定することができる。また、ワイヤを絡ませて固定するため、作業容易に機器類に対してプラグを固定することができるとともに、何重にも巻きつけたりすることでいたずらされにくくすることもできる。
【００１５】
しかも、１本のＵ字形のワイヤの曲折部を２枚の薄片で挟み込んでいるため、例えば２本の真っ直ぐなワイヤを薄片で挟み込んだ態様と比較してワイヤの引抜抵抗を大きくすることができる。すなわち、ワイヤを薄片から抜けにくくすることができるので、ワイヤが薄片から引き抜かれてプラグの固定が外れてしまうことがない。
【００１６】
また、請求項２に記載の発明は上記の通りであり、前記ワイヤの曲折部の位置を外部から視認するための目印を前記薄片の表面に設けたので、薄片を固着させるためのスペースが狭い場合でも、機器類の形状等に合わせて薄片を切断して使用することができる。なお、機器類の形状等に合わせて薄片を切断する際にワイヤの曲折部が外部から視認できないと、誤ってワイヤを切断してしまい、その結果ワイヤが薄片から抜けやすくなってしまうおそれがある。しかしながら、ワイヤの曲折部が外部から視認できるようにすれば、誤ってワイヤを切断してしまうミスを防止できる。
【００１７】
また、請求項３に記載の発明は上記の通りであり、前記ワイヤ全体に絶縁コーティングを施したので、絶縁性、耐摩耗性、耐腐食性等を向上させることができる。また、ワイヤの先端までコーティングされているので、ワイヤの先端が人体に刺さって怪我をするなどの問題も発生しにくい。
【００１８】
また、請求項４に記載の発明は上記の通りであり、前記プラグ保持具と組み合わせて使用する巻付具を備え、前記巻付具は、プラグに固着可能なベース部と、前記ベース部の表面に形成された複数の突起と、を有し、前記ワイヤの両端を前記複数の突起に巻き付けることで、機器類に対してプラグを固定できるので、プラグにワイヤを絡ませるための引っ掛かりがない場合であっても、複数の突起にワイヤを絡ませることでプラグを固定することができる。また、プラグにワイヤを絡ませるための引っ掛かりがある場合でも、巻付具を使用すればより確実にプラグを固定することができる。
【００１９】
また、請求項５に記載の発明は上記の通りであり、前記突起には、前記ワイヤを貫通させることができる挿通孔が設けられているので、挿通孔にワイヤを貫通させることで、より確実にワイヤを固定することができる。例えば、プラグの差し込み方向に沿って設けられた挿通孔にワイヤを貫通させれば、プラグを横振れしにくく固定することができる。
【図面の簡単な説明】
【００２０】
【図１】プラグ保持具及び巻付具の外観図である。
【図２】（ａ）プラグ保持具の一部拡大図、（ｂ）Ａ−Ａ断面図である。
【図３】プラグ保持具の一部拡大斜視図である。
【図４】プラグ保持具を構成する要素を分解した側面図である。
【図５】プラグ保持具を構成する要素を分解した底面図である。
【図６】プラグ保持具の使用状態を示す説明図である。
【図７】巻付具の（ａ）正面図、（ｂ）底面図、（ｃ）側面図である。
【図８】プラグ保持具及び巻付具の使用状態を示す説明図である。
【図９】プラグ保持具を切断する様子を示す説明図である。
【発明を実施するための形態】
【００２１】
本発明の実施形態について、図を参照しながら説明する。
【００２２】
本実施形態に係るプラグ抜け防止具は、図１に示すようなプラグ保持具１０を備えている。このプラグ保持具１０は、図１に示すような巻付具２０と組み合わせて使用してもよいし、巻付具２０と組み合わせずに単独で使用してもよい。
【００２３】
プラグ保持具１０は、図２〜５に示すように、ワイヤ１１と、２枚の薄片１２，１３と、粘着テープ１４と、剥離紙１５と、を備えている。
【００２４】
ワイヤ１１は、Ｕ字形に形成された曲折部１１ａと、この曲折部１１ａの両端から延びる直線部１１ｂと、からなっており、金属製線材を絶縁コーティングして作成されている。このワイヤ１１は、プラグ４０に沿って巻き付けやすくするためにできる限り細くすることが望ましく、具体的には金属製線材の直径を０．３５ｍｍ以下とすることが望ましい。また、ワイヤ１１の絶縁コーティングは金属製線材の全体に施されており、ワイヤ１１の先端部も覆っている。このように先端部までコーティングすることで、ごく細く形成された金属製線材の先端が人体に刺さったりする事故を防ぐことができるようになっている。
【００２５】
２枚の薄片１２，１３は、Ｕ字形のワイヤ１１の曲折部１１ａを挟み込んで保持するものであり、表側の第１薄片１２と裏側の第２薄片１３とからなる。第１薄片１２と第２薄片１３とは同じ大きさに形成されており、図５に示すように、それぞれの内側にはワイヤ１１の曲折部１１ａを配置するためのＵ字形のワイヤ用溝１２ａ，１３ａが凹設されている。第１薄片１２及び第２薄片１３は、このワイヤ用溝１２ａ，１３ａにワイヤ１１の曲折部１１ａを挟み込んだ状態で互いに接着されることで、ワイヤ１１を強固に保持するようになっている。
【００２６】
なお、第１薄片１２の表面には、ワイヤ用溝１２ａと表裏で対応する位置に盛り上げ部１２ｂが形成されている。この盛り上げ部１２ｂは、ワイヤ１１の曲折部１１ａの位置を外部（表面側）から視認するための目印となるものである。
【００２７】
粘着テープ１４は、第２薄片１３の表面に張り付けられるものであり、薄片１２，１３を機器類３０に固着させるための接着手段である。
【００２８】
剥離紙１５は、粘着テープ１４の接着面を保護するためのものである。使用時に剥離紙１５を粘着テープ１４の接着面からはがすことにより、粘着テープ１４の接着面が露わとなり、機器類３０に固着可能な状態となる。
【００２９】
このプラグ保持具１０を使用してプラグ４０を固定する際には、図６に示すように、粘着テープ１４を使用して薄片１２，１３を機器類３０に固着させるとともに、ワイヤ１１の両端をプラグ４０側の部材（プラグ４０そのものや、プラグ４０に固定された部材）に巻き付けることで、機器類３０に対してプラグ４０を固定する。本実施形態に係るワイヤ１１はごく細いため、図６に示すように、たとえばプラグ４０の根元を曲げやすくするための溝４１などに入り込ませて絡ませることもできる。プラグ４０に絡んだワイヤ１１は、塑性変形した状態を保つことでプラグ４０をしっかりと保持する。
【００３０】
なお、例えば図８に示すような引っ掛かりのないプラグ４０（ＵＳＢメモリ）を固定する場合には、図７に示すような巻付具２０を使用してもよい。
この巻付具２０は、プラグ４０に固着可能な板状のベース部２１と、前記ベース部２１の表面に形成された第１突起２２及び第２突起２３と、を有している。
【００３１】
ベース部２１は、特に図示しないが、裏面に粘着テープなどの接着手段を備えており、プラグ保持具１０と同様に平坦面に固着できるようになっている。
【００３２】
第１突起２２及び第２突起２３は、短い円柱状の軸部２２ｂ，２３ｂと、この軸部２２ｂ，２３ｂの上端に設けられた頭部２２ａ，２３ａと、を備えている。頭部２２ａ，２３ａは軸部２２ｂ，２３ｂよりも大径に形成されている。また、軸部２２ｂ，２３ｂには、ワイヤ１１を貫通させることができる挿通孔２２ｃ，２３ｃが設けられている。本実施形態においては、第１突起２２に形成された挿通孔２２ｃは巻付具２０の長手方向に貫通形成されており、第２突起２３に形成された挿通孔２３ｃは巻付具２０の短手方向に貫通形成されている。このように２つの挿通孔２２ｃ，２３ｃが互いに異なる方向（例えば直交方向）に貫通形成されることで、使用環境等に応じて挿通孔２２ｃ，２３ｃを使い分けできるように形成されている。
【００３３】
この巻付具２０を使用すれば、例えば図８に示すような引っ掛かりのないプラグ４０（ＵＳＢメモリ）であっても、ワイヤ１１の両端を複数の突起２２，２３に巻き付けることで、機器類３０に対してプラグ４０を固定することができる。
【００３４】
なお、ワイヤ１１を突起２２，２３に巻き付ける方法としては、例えば図８に示すように８の字形に巻き付けてもよい。また、２本に分かれたワイヤ１１を１本に束ねて突起２２，２３に巻き付けてもよい。また、ワイヤ１１を挿通孔２２ｃ，２３ｃに挿通して巻き付けてもよい。
【００３５】
ところで、プラグ保持具１０を機器類３０に固着する際に、プラグ保持具１０を固着するためのスペースが限られている場合がある。例えば、複数のプラグ保持具１０を並べて配置したいが、そのまま機器類３０にプラグ保持具１０を並べて固着すると互いに重なり合ってしまう場合がある。このような場合には、図９に示すように、プラグ保持具１０の薄片１２，１３を切断することで、薄片１２，１３の面積を小さくすることができる。このとき、上述したように、第１薄片１２の表面にはワイヤ用溝１２ａに沿って目印の盛り上げ部１２ｂが形成されているため、ワイヤ１１を切断しないようにぎりぎりまで薄片１２，１３を小さく切断することができる。
【００３６】
以上説明したように、本実施形態によれば、ワイヤ１１の両端をプラグ４０に巻き付けることで、機器類３０に対してプラグ４０を固定可能であるため、プラグ４０がどのような形状であってもワイヤ１１を絡ませて固定することができる。このようなプラグ抜け防止具によれば、薄片１２，１３を機器類３０の裏側に取り付けた場合には細いワイヤ１１だけが視認可能な状態でプラグ４０を固定できるので、目立たずにプラグ４０を固定することができる。また、ワイヤ１１を絡ませて固定するため、作業容易に機器類３０に対してプラグ４０を固定することができるとともに、何重にも巻きつけたりすることでいたずらされにくくすることもできる。
【００３７】
しかも、１本のＵ字形のワイヤ１１の曲折部１１ａを２枚の薄片１２，１３で挟み込んでいるため、例えば２本の真っ直ぐなワイヤを薄片で挟み込んだ態様と比較してワイヤ１１の引抜抵抗を大きくすることができる。すなわち、ワイヤ１１を薄片１２，１３から抜けにくくすることができるので、ワイヤ１１が薄片１２，１３から引き抜かれてプラグ４０の固定が外れてしまうことがない。
【００３８】
また、前記ワイヤ１１の曲折部１１ａの位置を外部から視認できるように目印を設けたので、薄片１２，１３を固着させるためのスペースが狭い場合でも、機器類３０の形状等に合わせて薄片１２，１３を切断して使用することができる。なお、機器類３０の形状等に合わせて薄片１２，１３を切断する際にワイヤ１１の曲折部１１ａが外部から視認できないと、誤ってワイヤ１１を切断してしまい、その結果ワイヤ１１が薄片１２，１３から抜けやすくなってしまうおそれがある。しかしながら、ワイヤ１１の曲折部１１ａが外部から視認できるようにすれば、誤ってワイヤ１１を切断してしまうミスを防止できる。
【００３９】
また、前記ワイヤ１１全体に絶縁コーティングを施したので、絶縁性、耐摩耗性、耐腐食性等を向上させることができる。また、ワイヤ１１の先端までコーティングされているので、ワイヤ１１の先端が人体に刺さって怪我をするなどの問題も発生しにくい。
【００４０】
また、前記プラグ保持具１０と組み合わせて使用する巻付具２０を備え、前記巻付具２０は、プラグ４０に固着可能なベース部２１と、前記ベース部２１の表面に形成された複数の突起２２，２３と、を有し、前記ワイヤ１１の両端を前記複数の突起２２，２３に巻き付けることで、機器類３０に対してプラグ４０を固定できるので、プラグ４０にワイヤ１１を絡ませるための引っ掛かりがない場合であっても、複数の突起２２，２３にワイヤ１１を絡ませることでプラグ４０を固定することができる。また、プラグ４０にワイヤ１１を絡ませるための引っ掛かりがある場合でも、巻付具２０を使用すればより確実にプラグ４０を固定することができる。
【００４１】
また、前記突起２２，２３には、前記ワイヤ１１を貫通させることができる挿通孔２２ｃ，２３ｃが設けられているので、挿通孔２２ｃ，２３ｃにワイヤ１１を貫通させることで、より確実にワイヤ１１を固定することができる。例えば、プラグ４０の差し込み方向に沿って設けられた第１突起２２の挿通孔２２ｃにワイヤ１１を貫通させれば、プラグ４０を横振れしにくく固定することができる。
【００４２】
なお、上記した実施形態においては、巻付具２０に突起を２つ設けているが、これに限らず、突起を３つ以上設けてもよい。また、突起に設ける挿通孔の方向も、上記した態様に限らず、任意の方向に設けることができる。また、突起に挿通孔を設けることは必須ではなく、挿通孔を設けなくてもよい。
【００４３】
また、上記した実施形態においては、ワイヤ１１の曲折部１１ａの位置を外部から視認するための目印として第１薄片１２の表面に盛り上げ部１２ｂを形成したが、目印としてはこれに限らず、例えば溝を形成して目印にしたり、印刷などにより平面的な目印を設けてもよい。
【符号の説明】
【００４４】
１０  プラグ保持具
１１  ワイヤ
１１ａ  曲折部
１１ｂ  直線部
１２  第１薄片（薄片）
１２ａ  ワイヤ用溝
１２ｂ  盛り上げ部（目印）
１３  第２薄片（薄片）
１３ａ  ワイヤ用溝
１４  粘着テープ
１５  剥離紙
２０  巻付具
２１  ベース部
２２  第１突起（突起）
２２ａ  頭部
２２ｂ  軸部
２２ｃ  挿通孔
２３  第２突起（突起）
２３ａ  頭部
２３ｂ  軸部
２３ｃ  挿通孔
３０  機器類
４０  プラグ
４１  溝
【図１】
2015106557.tif 000003
【図２】
2015106557.tif 000004
【図３】
2015106557.tif 000005
【図４】
2015106557.tif 000006
【図５】
2015106557.tif 000007
【図６】
2015106557.tif 000008
【図７】
2015106557.tif 000009
【図８】
2015106557.tif 000010
【図９】
2015106557.tif 000011